【手続補正書】
【提出日】平成29年3月3日(2017.3.3)
【手続補正１】
【補正対象書類名】特許請求の範囲
【補正対象項目名】全文
【補正方法】変更
【補正の内容】
【特許請求の範囲】
【請求項１】
使用中、患者の顔面に所望の調整されたポジションで呼吸用マスクアセンブリを保持するために、患者の頭部において前記呼吸用マスクアセンブリを安定させかつ位置決めするためのヘッドギアアセンブリであって、
上側サイドストラップ部分の対であって、前記上側サイドストラップ部分の対のそれぞれは、使用時に、患者の頭部の対応する横方向側を横切ってかつ患者の対応する耳および目に対して上方で延在するよう構成された、上側サイドストラップ部分の対と、
下側サイドストラップ部分の対であって、前記下側サイドストラップ部分の対のそれぞれは、使用時に、患者の頭部の対応する横方向側を横切ってかつ患者の対応する耳に対して下方で延在するよう構成された、下側サイドストラップ部分の対と、
前記上側サイドストラップ部分の対を接続すると共に使用時に患者の頭部上で下方に前記ヘッドギアアセンブリが移動するのを抑えるよう構成された上側ストラップ部分と、
前記下側サイドストラップ部分の対を接続するリア下側ストラップ部分と、
使用時、前記上側ストラップ部分に対して下方にかつ前記リア下側ストラップ部分に対して上方に配置されたリアクロスバーストラップ部分と、
上側中間ストラップ部分の対であって、前記上側中間ストラップ部分の対のそれぞれは、前記上側サイドストラップ部分の対のうちの対応するものを前記リアクロスバーストラップ部分に対して接続する、上側中間ストラップ部分の対と、
下側中間ストラップ部分の対であって、前記下側中間ストラップ部分の対のそれぞれは、前記リアクロスバーストラップを前記リア下側ストラップ部分に対して接続する、下側中間ストラップ部分の対と、
を具備し、
前記上側ストラップ部分と、前記上側中間ストラップ部分の対と、前記リアクロスバーストラップ部分とは、上側開口を形成し、
前記リア下側ストラップ部分と、前記下側中間ストラップ部分の対と、前記リアクロスバーストラップ部分とは、下側開口を形成し、
前記上側開口および前記リア下側開口は、前記上側開口が、前記リア下側開口よりも、使用時に患者の頭部のより大きな部分を収容するよう構成されるような寸法とされている、ヘッドギアアセンブリ。
【請求項２】
前記ヘッドギアアセンブリは素材の少なくとも二つの層を有する複合材からなる、請求項１に記載のヘッドギアアセンブリ。
【請求項３】
前記素材の少なくとも二つの層は外側層を備え、前記外側層はループ材を備える、請求項２に記載のヘッドギアアセンブリ。
【請求項４】
前記ループ材に対する取り付けのために、前記上側サイドストラップ部分の対および前記下側サイドストラップ部分の対のそれぞれの自由端部に取り付けられたフック材の細片をさらに備え、前記フック材の細片および前記ループ材はフック・ループ接続部を形成するよう構成される、請求項１ないし請求項３のいずれか１項に記載のヘッドギアアセンブリ。
【請求項５】
前記上側中間ストラップ部分の対および前記下側中間ストラップ部分の対は、使用時に、患者の耳との接触を回避するように配向される、請求項１ないし請求項４のいずれか１項に記載のヘッドギアアセンブリ。
【請求項６】
前記リアクロスバーストラップ部分、前記下側中間ストラップ部分の対、および前記上側中間ストラップ部分の対は、使用時に、患者の耳の後ろで患者の頭部と係合するよう構成される、請求項１ないし請求項５のいずれか１項に記載のヘッドギアアセンブリ。
【請求項７】
前記下側サイドストラップ部分の対のそれぞれの下側縁部は、使用時に、患者の頭部上で、前記リア下側ストラップ部分の下側縁部に対して下方に配置されるよう構成される、請求項１ないし請求項６のいずれか１項に記載のヘッドギアアセンブリ。
【請求項８】
前記上側ストラップ部分は、使用時に、患者の頭部の上側部分と交差して延在するよう構成される、請求項１ないし請求項７のいずれか１項に記載のヘッドギアアセンブリ。
【請求項９】
前記上側ストラップ部分は、使用時に、患者の頭部上で下方に前記ヘッドギアアセンブリが移動するのを抑えるために、患者の頭部の頭頂骨の一部分と係合するよう構成される、請求項１ないし請求項８のいずれか１項に記載のヘッドギアアセンブリ。
【請求項１０】
前記上側開口および前記リア下側開口は、前記上側開口および前記リア下側開口が患者の正中面によって実質的に二等分されるように、使用時に、患者の上で配向される、請求項１ないし請求項９のいずれか１項に記載のヘッドギアアセンブリ。
【請求項１１】
前記リア下側ストラップ部分は、使用時に、患者の首の下側後部と交差して延在するよう構成され、かつ、前記リアクロスバーストラップ部分は、使用時に、患者の頭部の下側後部と交差して延在するよう構成される、請求項１ないし請求項１０のいずれか１項に記載のヘッドギアアセンブリ。
【請求項１２】
前記リアクロスバーストラップ部分は、使用時に、患者の頭部の後頭骨の下側部分と係合するよう構成される、請求項１１に記載のヘッドギアアセンブリ。
【請求項１３】
前記リアクロスバーストラップ部分および前記リア下側ストラップ部分は、使用時に、患者の頭部上で上方に前記ヘッドギアアセンブリが移動するのを抑えるよう構成される、請求項１１に記載のヘッドギアアセンブリ。
【請求項１４】
患者に対して呼吸に適したガスを提供するための呼吸用マスクアセンブリであって、
鼻マスクであって、
額サポートを有するマスクフレームと、
前記マスクフレームに対して取り外し可能に接続されたクッションと、を備えた鼻マスクと、
請求項１ないし請求項１３のいずれか１項に記載のヘッドギアアセンブリと、を具備し、
前記上側サイドストラップ部分の対は、前記額サポートに対して取り付けられるよう構成され、かつ、前記下側サイドストラップ部分の対は、前記マスクフレームに対して取り付けられるよう構成される、呼吸用マスクアセンブリ。
【請求項１５】
前記マスクフレームに対して前記下側サイドストラップ部分の対のそれぞれを取り付けるよう構成されたクリップをさらに備え、前記下側サイドストラップ部分の対のそれぞれは、各前記クリップにおける開口を通って輪になるよう構成される、請求項１４に記載の呼吸用マスクアセンブリ。
【請求項１６】
前記上側サイドストラップ部分の対のそれぞれは、前記額サポートの各横方向側に配置された開口を通って輪になることによって、前記額サポートに対して取り付けられるよう構成される、請求項１４または請求項１５に記載の呼吸用マスクアセンブリ。
【請求項１７】
前記上側サイドストラップ部分の対のそれぞれは、使用時に、患者の対応する目および耳に対して上方で前記額サポートに対して取り付けられるよう構成され、かつ、前記下側サイドストラップ部分の対のそれぞれは、使用時に、患者の対応する目および耳に対して下方で前記マスクフレームに対して取り付けられるよう構成される、請求項１４ないし請求項１６のいずれか１項に記載の呼吸用マスクアセンブリ。
【請求項１８】
患者の頭部に呼吸用マスクアセンブリを安定状態で配置するためのヘッドギアアセンブリであって、
サイドストラップの対と、
少なくとも二つのリアストラップであって、前記サイドストラップの対の少なくとも一つおよび少なくとも二つのリアストラップはフレキシブルストラップを有する、少なくとも二つのリアストラップと、
前記少なくとも一つのフレキシブルストラップと前記サイドストラップの対の他方と少なくとも二つのリアストラップとの間に配置された補強材と、を具備し、
前記補強材は、使用中、患者の頭部上で正確な相対ポジションで前記少なくとも一つのフレキシブルストラップを保持するよう構成される、ヘッドギアアセンブリ。